(57)【特許請求の範囲】
【請求項１】
固定板部を有し、その一端縁に支持片が垂設された支持金具が、固定板部を土台に当接して固定され、固定板部を有し、その一端縁に水平な受部が垂設された土台水切りが、受部を支持金具の支持片上に載置しつつ、固定板部を土台に当接して固定され、この土台水切りの受部に縦張りする外装材の下端が載置され、外装材が支持金具で支持されることを特徴とする外装材縦張り構造。
【請求項２】
支持金具は、隣接する２枚の外装材の連結位置に対応して土台に固定される請求項１記載の外装材縦張り構造。
【請求項３】
土台水切りの固定板部に段差部が形成され、土台水切りを固定した時に、支持金具の固定板部並びに支持金具の固定に使用された固定具の頭部がその段差部内に納まるようにした請求項１又は２記載の外装材縦張り構造。
【発明の詳細な説明】
【０００１】
【発明の属する技術分野】
この出願の発明は、外装材縦張り構造に関するものである。さらに詳しくは、この出願の発明は、釘等の固定具によって直接固定せずに外装材の縦張りを可能とする外装材縦張り構造に関するものである。
【０００２】
【従来の技術】
従来より、住宅等の建物の外壁には各種の外装材が施工されてきている。その施工形態には、外装材の長辺を水平にして施工する、いわゆる横張りと、長辺を鉛直に立てて施工する縦張りの二形態がある。これらいずれの形態の場合にも、外装材は、一般には釘等の固定具により建物躯体に固定される。だが、近年、耐候性、耐久性、強度等の性能からセメント系無機質板が注目され、また、各種の意匠が可能になり、普及してきてからは、外装材の固定にも新たな展開が見られる。つまり、セメント系無機質板は、耐候性、耐久性、強度という外装材に最も重要な要求特性を満たしているものの、反面、セラミックス特有の脆く、欠けやすいなどの欠点を持っており、釘等の固定具の打入は、外装材にひび、欠けなどを引き起し、これら欠損部を通じて雨水が浸入したり、気密性が破れるなどの弊害をもたらすのである。また、そもそも釘等の固定具の使用は、その頭部が外壁表面に現れるので、見栄えという観点からも好ましくはなかった。
【０００３】
そこで、外装材を釘等の固定具で直接固定せずに建物躯体に取り付けるという試みがなされており、これまでに幾つかの取付金具が提供されてもいる。
【０００４】
【発明が解決しようとする課題】
しかしながら、現在知られている取付金具は、外装材の長辺側の端縁部を係止し、隣接する外装材を相互に連結可能とするものでしかない。これは、外装材の施工形態は横張りが主流となっており、横張りを前提にしているためである。もちろんそれら取付金具は、外装材を縦張りする場合にも、長辺側端縁部の係止及び隣接する外装材の連結に使用可能ではある。しかしながら、縦張りした時の外装材の下端部、すなわち短辺側の端部を従来の取付金具で支持することはできない。なぜならば、外装材の短辺側端部は、直角に切り落とされた切断面のような平面状となっているのに対し、外装材の長辺側端縁部には、係止可能な実部が端面に形成されており、ここを係止する取付金具は、その実部に対応した構造を有しているからである。従って、釘等の固定具を使用せずに外装材を縦張りする場合には、外装材の下端を外壁下縁に沿って配置される土台水切り上に配置せざるを得ないが、この場合次のような問題がある。
【０００５】
外装材の縦張りにおいて、外装材の荷重は、その下端が載置される土台水切りに集中し、外装材を係止し、相互に連結する取付金具には、外装材の荷重はかからない。つまり、取付金具は、外装材の荷重を受けることはないのである。このため、鋼板製の土台水切りであっても、長期的にその荷重に耐えることはできず、変形が生じ、これに伴って外装材の取付位置がずれることが考え得る。
【０００６】
この出願の発明は、以上の通りの事情に鑑みてなされたものであり、釘等の固定具によって直接固定せずに外装材の縦張りを可能とする外装材縦張り構造を提供することを目的としている。
【０００７】
【課題を解決するための手段】
この出願の発明は、上記の課題を解決するものとして、固定板部を有し、その一端縁に支持片が垂設された支持金具が、固定板部を土台に当接して固定され、固定板部を有し、その一端縁に水平な受部が垂設された土台水切りが、受部を支持金具の支持片上に載置しつつ、固定板部を土台に当接して固定され、この土台水切りの受部に縦張りする外装材の下端が載置され、外装材が支持金具で支持されることを特徴とする外装材縦張り構造（請求項１）を提供する。
【０００８】
この出願の発明は、支持金具は、隣接する２枚の外装材の連結位置に対応して土台に固定されること（請求項２）、並び土台水切りの固定板部に段差部が形成され、土台水切りを固定した時に、支持金具の固定板部並びに支持金具の固定に使用された固定具の頭部がその段差部内に納まるようにしたこと（請求項３）を好ましい態様として提供するものでもある。
【０００９】
【発明の実施の形態】
以下、図面に沿ってこの出願の発明の外装材縦張り構造についてさらに詳しく説明する。
図１、図２、及び図３は、各々、この出願の発明の外装材縦張り構造の一実施形態を示した要部断面図、分解斜視図、及び透視図である。
【００１０】
たとえばこれらの図１〜３の実施形態に示したように、この出願の発明の外装材縦張り構造は、土台（１）に取り付けられた支持金具（２）の上に土台水切り（３）が載置され、この土台水切り（３）上に縦張りされる外装材（４）が載置され、外装材（４）が支持金具（２）によって支持されることを概略とする。
具体的には、支持金具（２）は、固定板部（２１）を有し、その一端縁には支持片（２２）が垂設されている。一方、土台水切り（３）は、固定板部（３１）を有し、その一端縁に水平な受部（３２）が垂設されている。そして、支持金具（２）が、支持片（２２）を、たとえば土台（１）が設置された基礎（５）の上端縁付近に配置し、固定板部（２１）を土台（１）に当接して固定され、土台水切り（３）が、受部（３２）を支持金具（２）の支持片（２２）上に載置し、固定板部（２１）を土台（１）に当接して固定される。長辺を鉛直に立てて縦張りされる外装材（４）の下端は、土台水切り（３）の受部（３１）上に載置される。
【００１１】
このように、この出願の発明の外装材縦張り構造においては、支持金具（２）が配設されるため、縦張りされる外装材（４）の荷重は実質的にこの支持金具（２）の支持片（２２）に加わり、外装材（４）を支持金具（２）で支持することができる。外装材（４）は土台水切り（３）に直接載置されるが、土台水切り（３）自体には外装材（４）の荷重はほとんど加わらない。このため、土台水切り（３）に、外装材（４）の荷重に起因する変形は生じず、従って、外装材（４）の取付位置がずれるおそれはない。しかも、支持金具（２）は、土台水切り（３）の下に位置するため、表面に露出することはなく、支持金具（２）の配設によって見栄えが悪くなることはない。
【００１２】
また、土台水切り（３）の取付位置は、その受部（３２）を支持金具（２）の支持片（２２）上に載置することにより決まる。このため、土台水切り（３）の取付位置の位置決めは簡単であり、しかも土台水切り（３）を正確に取り付けることもできる。
これら支持金具（２）並びに土台水切り（３）はともに、図１に示したように、釘、木ネジ等の固定具（６）によって土台（１）に固定される。使用する固定具（６）の本数、長さ等は、外装材（４）及び土台水切り（３）の重量に応じて適宜決めることができる。固定具（６）による固定を容易とするために、支持金具（２）には、土台（１）に当接する固定板部（２１）に、図２に示したような、その表裏を貫通する挿入穴（２３）を所定位置に所定個数設けることができる。
【００１３】
また、支持金具（２）には、強度向上を目的として、補強用のリブ（２４）を所定箇所に付設することができる。図２に示したように、リブ（２４）は、固定板部（２１）及び支持片（２２）の両方にわたって設けることができるが、特にこれに限定されることはなく、固定板部（２１）又は支持片（２２）のいずれか一方とすることもできる。このリブ（２４）は、また、図１に示したように、たとえば支持金具（２）の表面側に突出させることができる他、裏面側に突出させることもできる。釘、木ネジ等の固定具（６）による固定や土台水切り（３）の受部（３２）の安定した配置などを考慮するならば、リブ（２４）は、図２に示したように、支持金具（２）の両側端部に端縁に沿って設けるのが好ましい。
【００１４】
そして、支持金具（２）は、図３に示したように、隣接する２枚の外装材（４）の連結位置に対応して土台（１）に固定されるのが好ましい。この位置に支持金具（２）を配設すると、隣接する２枚の外装材（４）の両方を支持金具（２）で支持することができ、外装材（４）の下端縁を揃えるのに効果的となる。
なお、隣接する外装材（４）は、横張りに用いられていた従来の取付金具（７）を用いて連結することができる。
【００１５】
すなわち、図２に示したように、外装材（４）には、たとえば、その長辺側の一端面上に凸実（４１）を、また、他端面にはこの凸実（４１）に嵌合可能な凹実を設けることができる。そして、凸実（４１）に取付金具（７）の係止片（７１）を係合させ、連結側の外装材（４）の凹実に係止片（７１）を係止して、隣接する２枚の外装材（４）を連結することができる。こうして、釘等の固定具によって直接固定することなく、外装材（４）の縦張りが実現されるのである。
【００１６】
土台水切り（３）は、流れ勾配を形成する斜辺部（３３）及びその下端縁から垂下延設された水切り片（３４）を一般に有するが、斜辺部（３３）は、たとえば図１及び図２に示したように、受部（３２）の端縁から垂下延設することのできる接続片（３５）の下端縁に接続することができる。この接続片（３５）は省略することも可能で、この場合には、斜辺部（３３）は、受部（３２）の端縁に直接接続することができる。
【００１７】
一方、固定板部（３１）には、たとえばその中程に、段差部（３６）を形成することができる。この段差部（３６）によって、土台水切り（３）の取付けに際して固定板部（３１）を土台（１）に当接した時に、支持金具（２）の固定板部（２１）、並びに固定に使用した釘、木ネジ等の固定具（６）の頭部をその内部に納めることができる。固定板部（３１）は、土台（１）に確実に当接し、また、固定具（６）による固定に伴って固定板部（３１）が変形したり、損傷したりするのを防止することができる。さらに、段差部（３６）は、土台水切り（３）の取付位置の位置決めに利用することもできる。すなわち、段差部（３６）を支持金具（２）の固定板部（２１）の上端面に当接することで、受部（３２）の支持片（２２）上への載置と合わせて土台水切り（３）の位置決めが行われるようにすることもできる。
【００１８】
このような土台水切り（３）は、従来と同様に鋼板製等とすることができるが、特にその材質に制限はない。耐久性、耐食性等に優れた適宜な材質を選択することができる。
もちろんこの出願の発明は、以上の実施形態によって限定されるものではない。支持金具及び土台水切りの細部構造をはじめ、外装材及び取付金具の構成及び構造等の細部については様々な態様が可能であることは言うまでもない。
【００１９】
【発明の効果】
以上詳しく説明した通り、この出願の発明によって、固定具で直接固定せずに外装材の縦張りが実現可能となる。縦張りされる外装材は支持金具によって支持され、土台水切りの変形、並びにこれに伴う外装材の取付位置のずれは生じない。
【図面の簡単な説明】
【図１】この出願の発明の外装材縦張り構造の一実施形態を示した要部断面図である。
【図２】図１に示した実施形態の分解斜視図である。
【図３】図１に示した実施形態の透視図である。
【符号の説明】
１    土台
２    支持金具
２１    固定板部
２２    支持片
２３    挿入穴
２４    リブ
３    土台水切り
３１    固定板部
３２    受部
３３    斜辺部
３４    水切り片
３５    接続片
３６    段差部
４    外装材
４１    凸実
５    基礎
６    固定具
７    取付金具
７１    係止片
【図１】
0004101947.tif 000002
【図２】
0004101947.tif 000003
【図３】
0004101947.tif 000004